(57)【特許請求の範囲】
【請求項１】
少なくとも１つのサーバと、第１ネットワークを介した接続によりその少なくとも１つのサーバから情報を受け取るよう構成された端末を有する複数のユーザステーションとを含むネットワーク化された通信装置であって、
前記少なくとも１つのサーバは、該当ユーザの特徴的振る舞いを表すデータを含むプロファイルデータベースを保有する記憶手段と、当該データを当該該当ユーザの活動に応じて自動的に取得しそのデータを前記該当ユーザの該当端末ネットワークアドレスと共に前記プロファイルデータベースに記憶する手段とを有し、
前記ユーザステーションは、前記端末と結合され前記少なくとも１つのサーバに第２ネットワークを介して接続可能な携帯型通信機器をさらに有し、前記プロファイルデータベースのデータは、前記第２ネットワークを介した接続の確立に従って前記携帯型通信機器を介して前記サーバへ転送される、ネットワーク化通信装置。
【請求項２】
請求項１に記載の装置であって、前記携帯型通信機器は、移動電話を含み、前記第２ネットワークは、電気通信ネットワークである、装置。
【請求項３】
請求項１又は２に記載の装置であって、前記第１ネットワークは、インターネットであり、前記端末が、インターネットブラウザのホストとして動作する処理手段と同ブラウザの制御を為すユーザ操作可能な手段とに結合された少なくとも１つの表示装置を含む、装置。
【請求項４】
請求項３に記載の装置であって、前記端末の内の１つ以上は、ワールドワイドウェブからのデータにアクセスし表示するようにも構成されたテレビ受信機を有する、装置。
【請求項５】
請求項１に記載の装置であって、前記携帯型通信機器と各端末との間の結合は、無線リンクを有する、装置。
【請求項６】
請求項５に記載の装置であって、前記無線リンクを介してのデータ伝送は、所定セットのメッセージ伝送プロトコルに従う、装置。
【請求項７】
請求項１ないし６のうちいずれか１つに記載の装置であって、前記携帯型通信機器は、前記サーバから受信され当該各端末にアドレス指定されるデータを記憶するように構成されたバッファと、前記バッファから記憶データを読み取ってそのデータを前記端末へ送信する手段とをさらに有する、装置。
【請求項８】
請求項７に記載の装置であって、前記携帯型通信機器は、各端末が前記サーバからデータを受信するのに利用可能であるかどうかを判定し、可能であれば当該データを転送し、不可であれば、当該各端末が利用可能となるか又は前記バッファが満杯になるまで当該データをバッファ処理するように構成された手段をさらに有する、装置。
【請求項９】
請求項７又は８に記載の装置であって、前記携帯型通信機器は、前記サーバが各端末からデータを受信するのに利用可能であるかどうかを判定し、可能であれば当該データを転送し、不可であれば、当該サーバが利用可能となるか又は前記バッファが満杯になるまで当該データをバッファ処理するように構成された手段をさらに有する、装置。
【請求項１０】
請求項１ないし４のうちいずれか１つに記載の装置であって、前記携帯型通信機器の各々は、当該各端末の技術的特徴をさらに有する、装置。
【請求項１１】
請求項１に記載の装置であって、前記端末との結合がそこからの無線伝送によるものであり、前記端末からの無線伝送情報を受信する当該携帯型通信機器手段は、他のソースから無線伝送された追加データを受信するようにも構成されている、装置。
【請求項１２】
少なくとも１つのサーバと、第１ネットワークを介した接続でその少なくとも１つのサーバから情報を受信することのできる端末を有する複数のユーザステーションとを有するネットワーク化された通信システムに用いられるデータ通信方法であって、
前記少なくとも１つのサーバは、該当ユーザの特徴的振る舞いを表すデータを含むプロファイルデータベースを提供し、前記データが当該該当ユーザの活動に応じて自動的に取得され前記該当ユーザの該当端末ネットワークアドレスと共に前記プロファイルデータベースに記憶されるようにし、
前記ユーザステーションは、前記端末と結合され前記少なくとも１つのサーバに第２ネットワークを介して接続可能な携帯型通信機器をさらに有し、前記プロファイルデータベースのデータは、前記第２ネットワークを介した接続の確立に従って前記携帯型通信機器を介して前記サーバへ転送される、方法。
【請求項１３】
請求項１２に記載の方法であって、前記携帯型通信機器は、移動電話を含み、接続確立のための記憶されたアクセスデータは、前記移動電話の電話番号を含む、方法。
【発明の詳細な説明】
【０００１】
【発明の属する技術分野】
本発明は、データをユーザに伝送する方法及び装置に関し、特にそうしたデータが比較的大容量のデータ記憶装置から自動的に且つ当該ユーザのコンパイルされたプロファイルに基づいて選択されるようなシステムに関する。
【０００２】
【従来の技術】
かかるシステムの一例は、通信方法とサーバ及び複数のユーザ端末を含む通信ネットワークとを提供する欧州特許出願第ＥＰ−Ａ−０ ９９４ ００２号に記載されている。これらのユーザ端末は、特にインターネット等の相互接続ネットワークによって互いに、そしてサーバと情報を共有することができる。当該サーバ上には、プロファイルデータベースが設けられ、該当ユーザアドレスの特徴的な行動（又は振る舞い若しくは態様）を表すデータを含んでいる。このサーバは、そのネットワークの該当ユーザによってなされる行為ないし活動に応じてこの対応データを自動的に取得する。ここでのデータは、該当ユーザアドレスとともに当該サーバ上のプロファイルデータベースに記憶されるものである。
【０００３】
この欧州特許出願第ＥＰ−Ａ−０ ９９４ ００２号のシステムについて特に注目すべき点は、ユーザに対する不正又は不適当なプロファイル明細事項の蓄積を回避することであり、この目的のために、記述されるプロファイルデータベースは、随時、ユーザによってアクセス可能とされ、ユーザが該ユーザに関連するアドレスの内の１つに関連する内容に関して、そのデータベースの内容を変更可能なようにしている。ユーザはその内容を、例えば、当該プロファイルデータベースにおける対象項目を追加、削除又は補正することによって変更できる。
【０００４】
ユーザプロファイリングは、ユーザが認めるようにシステムのユーザフレンドリネス（ユーザの使いやすさ）を増大させる一方、記憶装置への追加のデータチャネル及びサーバ内のデータ照合ユーティリティについて必要とされる幾つかの設備機能は、ユーザプロファイリング又はサービスについてのユーザ適合の準備を正当でない過剰なものとし得る。
【０００５】
【発明が解決しようとする課題】
したがって、本発明の目的は、ユーザプロファイリングから生じユーザ認識される改善されたシステム機能が過大なシステム通信リソースを必要としなくするような何らかの手段を提供することである。
【０００６】
【課題を解決するための手段】
本発明の第１の態様によれば、少なくとも１つのサーバと、第１ネットワークを介した接続によりその少なくとも１つのサーバから情報を受け取るよう構成された端末を有する複数のユーザステーションとを含むネットワーク化された通信装置であって、該当ユーザ端末ネットワークアドレスの特徴的態様を表すデータを含むプロファイルデータベースを保有する記憶手段と、当該データを当該該当ユーザの活動に応じて自動的に取得しそのデータを前記該当ユーザ端末ネットワークアドレスと共に前記プロファイルデータベースに記憶する手段とを有し、前記ユーザステーションは、前記端末と結合され前記少なくとも１つのサーバに第２ネットワークを介して接続可能な携帯型通信機器をさらに有し、当該ユーザ端末は、前記プロファイルデータベースのデータ自動取込を実行するよう構成されており、前記データは、前記第２ネットワークを介した接続の確立に従って前記携帯型通信機器を介して前記サーバへ転送される、ネットワーク化通信装置が提供される。ユーザプロファイリングデータの転送のために前記携帯型通信機器リンクを使用することにより、前記第１ネットワーク（インターネット又は何らかのより局所化されたイントラネットとすることが可能）上のトラフィックを管理可能なレベル内に保持して、ユーザが高度なプロファイリング機能をシステム遅延に結び付けない状況が保たれる。
【０００７】
前記携帯通信機器は、移動電話を含むのが好ましく（前記第２ネットワークが電気通信ネットワークであるとして）、それ故に当該接続確立用アクセスデータが電話番号を含むものとすることができる。上述した第１ネットワークは、インターネットとすることができ、もって前記ユーザ端末は、インターネットブラウザをホストする処理手段とそれの制御を為すユーザ操作可能な手段とに結合された少なくとも１つの表示装置を含み得る。このような構成によって、前記端末の１つ以上は、ワールドワイドウェブからのデータにアクセスしてそれを表示するようにも構成されるテレビ受像機を含み得る。
【０００８】
一実施例においては、携帯型通信機器とそれぞれのユーザ端末との間の結合は、無線リンクを有するものとすることができる。さらに、この無線リンクを介しての上述したデータ転送は、一般に「ブルートゥース」として知られるものの如き所定セットのメッセージ転送プロトコルに準じるのが好ましい。
【０００９】
携帯型通信機器は、前記サーバから受信され前記各ユーザ端末へアドレス指定されるデータを記憶するように構成されたバッファをさらに有し、このような状況において、前記バッファから記憶データを読み取って、そのデータをユーザ端末へ送信する手段をさらに含むものとすることができる。このような構成において、携帯型通信機器は、各ユーザ端末が前記サーバからデータを受信するのに利用可能であるか否か判定し、もし可能であればそうしたデータを送り出し、そしてもし不可であれば、各ユーザ端末が利用可能となるまで又は前記バッファが満杯となるまで、当該データをバッファ処理するように構成された手段をさらに有するものとし得る。
【００１０】
上述したような構成において、前記携帯型通信機器は、前記サーバが各ユーザ端末からデータを受信するために利用可能であるか否かを判定し、もし可能であればそうしたデータを送り出し、そしてもし不可であれば、前記サーバが利用可能となるまで又は前記バッファが満杯となるまで、そうしたデータをバッファ処理するように構成された手段をさらに含むものとしてもよい。
【００１１】
前記ユーザ端末と前記移動通信機との結合は、そこからの無線伝送によるものとすることができ、前記端末からの無線伝送情報を受信する前記携帯通信機手段は、他のソースから無線伝送された付加的なデータを受信するようにも構成可能である。
【００１２】
また本発明によれば、以上に記載されたようなシステムに使用される携帯型通信装置と、以上に挙げられたようなユーザ端末の技術的特徴を有すると共に以上に記載された通信装置によりデータの結合やデータの転送をなす手段を含むデータ処理装置とが提供される。
【００１３】
本発明の他の態様によれば、少なくとも１つのサーバと、第１ネットワークを介した接続でその少なくとも１つのサーバから情報を受信することのできる端末を有する複数のユーザステーションとを有するネットワーク化された通信システムに用いられるデータ通信方法であって、該当ユーザ端末ネットワークアドレスの特徴的振る舞いを表すデータを含むプロファイルデータベースを提供し、前記データが当該該当ユーザの活動に応じて自動的に取得され前記該当ユーザ端末ネットワークアドレスと共に前記プロファイルデータベースに記憶されるようにし、前記ユーザステーションは、前記端末と結合され前記少なくとも１つのサーバに第２ネットワークを介して接続可能な携帯型通信機器をさらに有し、当該ユーザ端末は、前記プロファイルデータベースのデータ自動取込を実行し、前記データは、前記第２ネットワークを介した接続の確立に従って前記携帯型通信機器を介して前記サーバへ転送される、方法が提供される。
【００１４】
前記通信機器は、移動電話を含むものとすることができ、前記サーバは、該移動電話の単純な電話番号の形態で接続を確立するためのアクセスデータを含み得る。そうした状況下において、携帯型通信機器は、前記サーバから受信され前記各ユーザ端末へアドレス指定されるデータを記憶するように構成可能であり、前記バッファは、前記各ユーザ端末が利用可能となるまで又は前記バッファが満杯となるまでそうしたデータを保持又はバッファ処理するものとし得る。
【００１５】
【発明の実施の形態】
以下、本発明の他の特徴及び利点につき、添付図面を参照しつつ、例示目的でのみ提示された好適実施例の説明を読んで明らかとなるよう説明する。
【００１６】
図１は、本発明を具体化する構成要素を概略的に示しており、ネットワーク接続、無線若しくはケーブル結合又はその他のデータ転送手段を含み得るリンク１４を介して複数のユーザ局又はステーション１２（その内の１つのみが図示されている）と結合された少なくとも１つのサーバ又はサービスプロバイダ１０を有するネットワーク化された通信装置の形態を採っている。サーバ１０は、プロファイルデータベースを保有する少なくとも１つの記憶手段１６を含んでいる。このプロファイルデータベースは、該当ユーザの端末ネットワークの１アドレス又は複数アドレスによって識別されるようなそのユーザの特徴的な振る舞い又は行動若しくは態様を表すデータを含む。サーバは、該当ユーザがどのテレビチャンネルを見るか、どんな物をオンラインで購入するかなどのそのユーザの選択された１つ又は幾つかの選択された活動（行為）に応じて、そうしたデータを自動的に取得することにより当該ユーザプロファイルデータを蓄積する。そしてこのユーザプロファイリングデータは、該当ユーザ端末ネットワークアドレスと共にプロファイルデータベースに記憶される。
【００１７】
上記ユーザ局は、携帯型通信装置１８、好適には移動（モバイル）電話をさらに有し、これは破線リンク２０によって示されるように当該端末１２と結合される。概略的に図示されているように、装置１８は、端末１２との結合形態として構成されたレシーバ１８．Ｒの他にも、受信信号用のバッファ１８．Ａを共に含んでいる。装置１８は、この場合は電気通信ネットワークである第２ネットワーク又はデータリンク２４を介して上記少なくとも１つのサーバ又はサービスプロバイダ２２と接続可能となっている。ライン２６により示されるように、ユーザデータを自動的に取得する手段（サーバ１０）は、電気通信サービス２２と結合されるとともに、該手段は、リンク２０によるこのチャネルを、ユーザ端末１２から又は該端末によって集められるユーザプロファリングデータに対する簡素かつ低コストのルートとして、或いはその端末１２によってサーバ１０へ返送されることの必要な他のデータのための戻りチャネルとして使用することができる。この接続を容易にするために、サービスプロバイダ１０は、プロファイルデータベース１６内にそのユーザのプロファイリングデータと共に当該ユーザの移動電話の番号を簡単に記憶する必要がある。ユーザプロファイリングデータの転送用に携帯型通信装置のリンクを用いることによって、第１ネットワーク又はリンク１４のトラフィックは、管理可能なレベル内に保持され、ユーザが高度なプロファイリング機能をシステム遅延に関連付けなくさせることになる。
【００１８】
携帯型通信装置１８と各ユーザ端末１２との間のリンク２０は、無線（高周波数又は赤外線）リンクを含むようにしてもよい。さらに、この無線リンクを介しての上述したデータ伝送は、「ブルートゥース（Bluetooth）」として一般に知られるようなメッセージ伝送プロトコルの所定セットに従うのが望ましい。リンク１８の対応はさらに、複数のビーコンのシステムが追加データメッセージをユーザの携帯型通信装置１８へ伝送するようなビーコンインフラ（ビーコンの構成基盤）との対話又は相互動作を可能とする。かかるビーコンは、一帯の地域にわたるマトリックス適用範囲を提供する。
【００１９】
基地局又はビーコンは、通常は互いに独立している（ショッピングセンターにセットアップされ、各店舗は、隣接店舗によって提供されるいずれのビーコンとも関係なく、当該店舗が所有するビーコンを提供し維持する）。但しこれらのビーコンは、それらの放送メッセージに関して少なくとも何らかの調整を伴って全体的又は部分的にネットワーク化され得る。図２は、本発明を具体化すると共に、例えば百貨店、ショッピングセンター又はテーマパーク等で用いられるインフラストラクチャの実施例を提供する、リンクされたビーコンによるそうしたシステム３２の図である。このシステム３２は、一帯の地域にわたって分散した複数のビーコンＢ１，Ｂ２，Ｂ３，ＢＮを含む。これらビーコンＢ１〜ＢＮの各々は、タイムスロット形式で短期間の１つ以上の照会（問い合わせ）信号を同報通信する。ビーコンＢ１〜ＢＮは、１つ以上の端末Ｔ１，Ｔ２，Ｔ３，ＴＭがサーバ４０に接続されてビーコンインフラストラクチャサーバ（ＢＩＳ）４０によって制御される。端末Ｔ１〜ＴＭは、サービスプロバイダ、すなわちビーコンＢ１〜ＢＮのユーザがビーコンＢ１〜ＢＮによって伝送される照会促進信号に重畳される追加データの形式で割り当てられたサービススロットを制作又は編集することを可能としている。サービスプロバイダは、ビーコンをリースすること又はそのインフラストラクチャプロバイダからビーコンのサービススロットの１つをリースすることができる。この目的のために、サーバ４０は、端末Ｔ１〜ＴＭの１つを介してユーザによる書き込みのための簡単なＨＴＭＬテンプレートを提供する。そのテンプレートが例えばビーコン放送を介して搬送されるべきデータに関するサービス及び他の情報の記述がなされると、当該テンプレートは、好ましくはセキュリティ拡張版ＨＴＴＰ（Secure HTTP：Ｓ−ＨＴＴＰ）又はＳＳＬ（Secure Sockets Layer）等を用いる保証リンクを介して、サーバ４０へ戻される。ＳＳＬは、クライアントとサーバとの間に保証リンクを作り、かかるリンクにおいて任意の量のデータを確実に送信することができる。Ｓ−ＨＴＴＰは、個々のメッセージを確実に伝送するように構成されている。次いでサーバ４０は、上記テンプレートで提出された情報に基づきビーコンＢ１〜ＢＮの内の関連する１つの照会信号に付すための適切な追加データパッケージＦＩを生成する。システム３２は、当業者であれば容易に理解されるように、アプリケーションサーバ３４によって運営されるビーコンウェブサイトをさらに有し、様々な機能を実行する補助を為すようにしている。
【００２０】
メッセージは所与の端末の範囲内であるどのような移動機器１８にも簡単に放送されることが期待される（それでユーザはその移動機器でそのメッセージデータを見ることができる）が、当該放送ビーコンへその移動機器によって送り返された応答メッセージは、破線３０で示されるようにサポートされ得る。ある好適実施例においては、移動機器１８は受信メッセージのログを蓄積するバッファ（１８．Ａ）を具備している（オプションで受信に応じてそれらにタイムスタンプが施される。そのためにクロック信号源１７が設けられ得る）。そしてそれらメッセージは、検討判断され、時として移動機器においてそのキーが使用されて編集され、またユーザの都合の良いときに例えばユニフォームリソースローケータ（ＵＲＬ）を含んでいる場合に返答可能である。上記バッファにより、メッセージの確認や応答は、ユーザがそれら機器の近辺に戻ったときに、（例えばリンク２０を介して）その取り込んだログをダウンロードして当該ユーザの他の機器で行うことができる。
【００２１】
サービスはインフラストラクチャプロバイダからビーコンスロットを借りることができ、典型的なメッセージ形態は、図３に示されるように、
ｉｄ    伝送ビーコンの識別子
ＳＳ    サービスサプライヤの識別子
Ｃｉ    サービス分類の明細事項
ＳＤ    他のサービス事項（オプション）
ＱｏＳ  サービス品質の明細事項
ｐｉ    １つ以上の接続ポインタ
とすることが考えられる。
【００２２】
接続ポインタｐｉは、ポインタタイプ（例えば、ＳＭＳ，１-800-＃，ｕｒｌ）によりプレフィックスされる。１つのサービスは、そのサービス接続を起動すべく当該移動機器に対して代替のポインタを有することができる。色々なサービス品質ＱｏＳは、ＳＭＳ、オーディオインターアクション、ＧＰＲＳ、ＷＡＰ等、同一サービスプロバイダによってサポート可能である。これらはユーザの選択（設定）、移動機器プラットフォームオプション及びコスト選択に対して適合させるべきものでもある。
【００２３】
図４により表されているように、各ビーコン５０は、接続「ブリッジ」を提示するバーコードスロットのフレーム５２、すなわち様々なローカルサービスへの接続を可能とし又はサポートするデータをパルスモードで発する。フレーム５２は、接続ポインタｐｉがサービスプロバイダ５４からのサービスを始動するのに用いられて移動機器１８により受信される。そのサービスは、移動機器１８の能力に依存する情報伝送のための電気通信若しくはウェブに基づくサービス又は何らかの他の構成を含むものとすることができる。選択されたサービス品質ＱｏＳを有するサービスプロバイダ５４によるサービス起動に先行して、サービス分類及びＱｏＳの選択を最適化するよう、ネゴシエーション又は比較プロセスが、記憶されたユーザプロファイルＳＵＰ（５６の記憶装置内に保持されている）とＣｉによって指定されるような当該サービス分類の特性との間で行われる。選択されたＱｏＳは、ユーザの事情及び許容可能な課金レートと合ったものとすべきである。それ故に、異なるＱｏＳ明細事項は、ユーザの一日の異なる時間に異なる優先権を有することができる。
【００２４】
プロバイダ５４からサービス接続ｓｉを起動するのにポインタｐｉを使用する前において（オプションとしてブルートゥースプロトコルに従って、ＧＳＭセルネット、ＳＭＳ等において為され得る）、分類Ｃｉ（及び他に可能性のある事項、例えばＱｏＳ）がユーザプロファイルＳＵＰの現行サブセットと比較される。このＳＵＰを保持する記憶装置５６の物理的位置は移動機器上（例えばテーブルとして）か、又はユーザが所持するウェブサイト上の離れた場所にあるか、又はエンドユーザ用にビーコンインフラストラクチャプロバイダによって提供され得る。ＳＵＰに対する相関する分類Ｃｉ及び他のサービス詳細事項の第１ステージは、自動的であるのが好ましい。これらは、ユーザがそのサービスへのリンクの存在を移動機器によって通知される前であっても起こり得るものである。
【００２５】
もし分類Ｃｉのサービスが移動機器１８に保持されている各分類のテーブルと合致すれば、第１のオプションにおいてユーザは警告され、モバイル１８の１回のキー押圧でサービスポインタｐｉを起動させることができる。代替の構成としては、モバイル１８は、先ず、（アプリケーションサーバ３４によってローカル記憶装置５８に保持されるような）サービス詳細事項と記憶されたＳＵＰとの間のより正確な相関について、アプリケーションサーバ３４がホストとして動作する遠隔ビーコンウェブサイトＢＳへリクエストを（例えばＳＭＳを介して）自動的に発する。もし当該サービスがユーザの今の関心及び意向に合致していると判断されれば、肯定的な回答がモバイル１８へ戻され、専らユーザはそのサービスの存在を当該モバイルによって警告されることになる。そしてユーザは、当該サービスをサービスプロバイダ５４へ送信されるそのポインタｐｉを介して自動的に起動する選択肢を有する。
【００２６】
図５は、テレビ又はミュージック関連サービスの他の構成を表しており、エンターティメントシステムＥＳ７０（ＴＶ、ＣＤプレ−ヤ、ＭＰ３ジュークボックス又はゲームプラットフォーム等）は、移動機器１８を介して、セルネット又はウェブベースサービス等を扱うサービスプロバイダ５４へ結合されている。
【００２７】
上述のように、当該モバイルへの無線リンクにより放送されたフレームは、２つ以上のサービス分類、異なるＱｏＳを提示するサービス当たり２つ以上のポインタタイプｐｉ、及びオプションとしての提示中の各サービスの他の詳細事項を含むものとしてもよい。
【００２８】
極端な例において、サービススロットは、現在再生中の音楽ＣＤの識別子とともに、当該モバイルに予め記憶されている（例えば電話に基づく音楽サービス又はウェブサイトに対する）ポインタｐｉを専ら含むものとされ得る。ｐｉを介してそのサービスを起動するとき、そのサービスにはビーコンスロット情報からそのＣＤの識別子が渡され、当該音楽サービスを現行ＣＤに自動的に適応させることができる。
【００２９】
以上、基本的にソフトウェアに基づく実施形態又はソフトウェア制御された実施形態につき説明したが、当業者であれば上述した数多くの機能的特徴が、同じようにハードウェア又は、ソフトウェアとハードウェアとの組合せで実施され得ることが充分に理解されると考える。
【００３０】
本文を読むことにより、当業者であればその他の変更形態も明らかとなる。そうした変更例は、電気通信システム及び／又はデータネットワークアクセス装置及びデバイス並びにそれらの構成パーツに関する設計、製造及び使用において既に知られ、ここで既述した特徴に代え又は加えて使用され得る他の特徴を含み得るものである。
【図面の簡単な説明】
【図１】  ユーザ端末及び携帯型通信機器の結合構成を表す図。
【図２】  メッセージ通信ビーコン構成基盤の模範的な実施形態を表す図。
【図３】  図２の構成における、ビーコンスロットにおける伝送のメッセージフォーマットを表す図。
【図４】  ビーコンから移動機器へのメッセージ通信スロットの伝送を示す図。
【図５】  組み合わされたユーザ端末及び携帯型通信装置並びに異なるサービスへのその接続形態を表す図。
【図１】
0004959086.tif 000002
【図２】
0004959086.tif 000003
【図３】
0004959086.tif 000004
【図４】
0004959086.tif 000005
【図５】
0004959086.tif 000006